(57)【要約】【課題】被験者の人体に刺激を与えることが数メートル程離れた個所からリモート操作でできる簡便な動作付与装置を提供する。【解決手段】動作の強弱を可変操作するための所定の電波を発信する発信操作部２と、該発信操作部２からの所定の電波を受信する受信回路３ｃと共に該受信回路３ｃからの受信出力の強弱に応じた制御信号を出力する駆動回路３ｄを具備した受信本体部３と、該受信本体部３に接続し所定の強弱の動作をする動作駆動部３ｅを挿着した動作部４とからなる。【選択図】        図１
2004305309.tif 000002
【特許請求の範囲】
【請求項１】
動作の強弱を可変操作するための所定の電波を発信する発信操作部と、該発信操作部からの所定の電波を受信する受信回路と該受信回路からの受信出力の強弱に応じた制御信号を出力する駆動回路を具備した受信本体部と、該受信本体部に接続し所定の強弱の動作をする動作部とからなる動作付与装置。
【請求項２】
前記発信操作部は電源を内蔵すると共に把持してスイッチ切換操作可能な携帯形に形成した請求項１に記載の動作付与装置。
【請求項３】
前記受信本体部は電源を内蔵すると共に首掛けひもにより首部に装着或いはクリップにより着衣に装着可能に形成した請求項１に記載の動作付与装置。
【請求項４】
前記動作部は、前記受信本体からの制御信号を入力する動作駆動部と、該動作駆動部を装着し該動作駆動部により所定の動作をする動作体とからなる請求項１に記載の動作付与装置。
【発明の詳細な説明】
【０００１】
【発明の属する技術分野】
本発明は離れた場所からの操作により人体に種々の刺激を付与して該人体への反応を観察するために医療現場その他で使用されるリモート式の動作付与装置に関する。
【０００２】
【従来の技術】
従来の人体に刺激を付与する動作付与装置として、動作部と該動作部に動作を付与する駆動部と該駆動部に付設の操作部とからなり、前記動作部を被験者の人体の所定の個所に接触し前記操作部の操作により該駆動部を駆動して前記動作部に振動を付与し、該動作部からの振動の刺激を受けて人体の変化を観察するものが知られている。
【０００３】
【発明が解決しようとする課題】
この動作付与装置によれば、操作部が駆動部に付設しているので、医者等が被験者の近くにいて前記操作部を操作して該被験者の人体の変化を観察せねばならず、該被験者の人体の変化を離れた場所から全体的に観察したり、或いは離れた場所からＸ線等を照射して人体の変化をＸ線等により観察することが困難である問題点がある。
【０００４】
本発明はこれらの問題点を解消し離れた場所からリモート式に操作可能な簡便な動作付与装置を提供することを目的とする。
【０００５】
【課題を解決するための手段】
本発明は上記の目的を達成すべく、動作の強弱を可変操作するための所定の電波を発信する発信操作部と、該発信操作部からの所定の電波を受信する受信回路と該受信回路からの受信出力の強弱に応じた制御信号を出力する駆動回路を具備した受信本体部と、該受信本体部に接続し所定の強弱の動作をする動作部とからなる。
【０００６】
【発明の実施の形態】
本発明の１実施の形態を図１及び図２により説明する。
【０００７】
１は本発明の１実施の形態であるリモート式の動作付与装置を示し、該動作付与装置１は、発信操作部２と受信本体部３と該受信本体部３に接続した動作部４とからなる。
【０００８】
前記発信操作部２は、前記動作部４において強弱の動作等を発生させるための操作機能を有し、手で把持可能なプラスチック樹脂製の筐体２ａ内に出力部２ｂを内蔵すると共に該筐体２ａの正面に強中弱の切換え操作のための操作スイッチ２ｃ、２ｄ、２ｅ及び停止スイッチ２ｆが配置されている。
【０００９】
前記出力部２ｂは前記操作スイッチ２ｃ、２ｄ、２ｅが接続され、これら操作スイッチ２ｃ、２ｄ、２ｅの各押釦操作により所定の強、中、弱の発信電波を発信アンテナ２ｇより発信し、停止スイッチ２ｆにより停止するようにした。
【００１０】
尚、該出力部２ｂには図示していないが発信回路が接続され、電源の電池が内蔵接続されている。又、発信される電波は許可の不必要なＦＭの微弱電波である。
【００１１】
前記受信本体部３は前記発信操作部２からの所定の電波を受信して、受信出力の強弱により前記動作部４に強弱の振動その他の可変動作をさせる機能を有し、プラスチック樹脂製の本体筐体３ａ内には前記発信操作部２からの所定の電波を受信するための受信アンテナ３ｂと受信回路３ｃと動作駆動部であるモータ駆動回路３ｄと電源用の電池とが内蔵されており、これら受信アンテナ３ｂと受信回路３ｃとモータ駆動回路３ｄとが順次接続されており、前記発信操作部２からの所定の電波を受信した前記受信回路３ｃからの受信出力の強弱に応じて前記モータ駆動回路３ｄは、該駆動回路３ｄに接続され前記動作部４に挿着された振動モータ３ｅの回転力を制御するようにした。又前記本体筐体３ａは首掛ひも３ｆやクリップが設けられており、使用時には首に掛けたり、衣服に装着することができる。
【００１２】
前記動作部４は筒状のゴムなどで形成された動作体の弾性体部４ａと該弾性体部４ａ内に挿着された振動の発生源の前記振動モータ３ｅとからなり、該弾性体部４ａの内面には多数の突起部を設けている。
【００１３】
次に本発明の１実施の形態の動作付与装置１を例えば男性生殖器の勃起障害の陰茎支配血管系の検査に適用する使用方法を説明する。
【００１４】
被験者の男性に血管造影剤を注入してから動作付与装置１の受信本体部３の首掛けひも３ｆを首に掛け、振動モータ３ｅが装着された筒状の弾性体部４ａを男性の陰茎に差し込む。
【００１５】
その後、この男性から離れた場所で医者等が発信操作部２を手に持って「弱」の操作スイッチ２ｅから「中」の操作スイッチ２ｄ、必要に応じて更に「強」の操作スイッチ２ｃへと所定の時間を経て切換え操作する。これに応じた出力信号が出力部２ｂより出力し、発信アンテナ２ｇより無線発信した出力信号を受信本体部３の受信アンテナ３ｇで受信し、受信回路３ｃにおいて受信信号の増幅等の信号変換をしてモータ駆動回路３ｄにより駆動モータ３ｅの振動の強さを「弱」から「中」更に「強」へと振動制御し、弾性体部４ａを介して陰茎に振動の強さの刺激を付与し、これに応じて該陰茎が勃起するか否か又はその勃起の程度をＸ線を通じて該陰茎の血管を撮影してその血管の状態から陰茎支配血管系の障害の検査をする。
【００１６】
上記の使用方法以外に、動作部４として例えば合成樹脂製の棒状体に前記振動モータ３ｅを装着し、該棒状体を女性の局部に挿入して女性の性的機能を調べたり、又は振動モータ３ｅによる振動の代りに伸縮や屈伸等の動作を付与する動作駆動部を接続してもよい。
【００１７】
【発明の効果】
このように本発明によると、離れた場所からリモート式により被験者の人体へ種々の刺激を付与することが簡便にでき、この刺激による人体の変化をＸ線等の照射により観察したり、或いは人体の変化を離れた場所から全体的に観察できる等の効果を有する。
【図面の簡単な説明】
【図１】本発明の１実施の形態の動作付与装置の外観説明図である。
【図２】そのシステム構成図である。
【符号の説明】
１    動作付与装置
２    発信操作部
３    受信本体部
３ｃ  受信回路
３ｄ  モータ駆動回路
３ｅ  振動モータ
４    動作部
【図１】
2004305309.tif 000003
【図２】
2004305309.tif 000004